(57)【特許請求の範囲】
【請求項１】
予約情報を設定する設定ステップと、
この設定ステップで設定された予約情報と、入力される番組情報に付加された属性情報とを照合して、録画候補となる番組を自動的に検索して録画する予約録画ステップと、
この予約録画ステップによって番組が録画されたことを通知するステップであって、前記予約録画ステップによって録画された番組を、前記属性情報または前記予約情報に含まれる項目の内容別に通知形態を異ならせて通知する通知ステップと、
この通知ステップによる通知形態に対応した操作を行なうことにより、前記予約録画ステップによって録画された番組を、前記属性情報または前記予約情報に含まれる項目の内容別に表示させる番組表示ステップと、
この番組表示ステップによって一覧表示された番組の中から所望の番組を選択する選択ステップと、
この選択ステップで選択された番組に対して、所定の処理を施すための選択肢を表示する選択肢表示ステップとを有することを特徴とする番組録画方法。
【請求項２】
予約情報を設定する設定手段と、
この設定手段で設定された予約情報と、入力される番組情報に付加された属性情報とを照合して、録画候補となる番組を自動的に検索して録画する予約録画手段と、
この予約録画手段によって番組が録画されたことを通知する手段であって、前記予約録画手段によって録画された番組を、前記属性情報または前記予約情報に含まれる項目の内容別に通知形態を異ならせて通知する通知手段と、
この通知手段による通知形態に対応した操作を行なうことにより、前記予約録画手段によって録画された番組を、前記属性情報または前記予約情報に含まれる項目の内容別に表示させる番組表示手段と、
この番組表示手段によって一覧表示された番組の中から所望の番組を選択する選択手段と、
この選択手段で選択された番組に対して、所定の処理を施すための選択肢を表示する選択肢表示手段とを具備することを特徴とする番組録画装置。
【発明の詳細な説明】
【０００１】
【発明の属する技術分野】
この発明は、ユーザが設定した条件に対応する番組を自動的に録画する番組録画方法に関する。また、この発明は、ユーザが設定した条件に対応する番組を自動的に録画する番組録画装置に関する。
【０００２】
【従来の技術】
周知のように、近年では、衛星を用いたデジタルテレビジョン放送が実用化されている。このデジタルテレビジョン放送では、対応するデジタル放送受信装置により、テレビジョン放送番組を視聴するだけでなく、データ放送によって多種多様な番組情報をユーザに提示することが可能になっている。
【０００３】
この番組情報には、サービス番号、サービス名、番組名等と併せて、番組の内容に関する情報（例えば、見所、あらすじ、出演者等）や、放送形態に関する情報（例えば、視聴料金、録画の可／不可、解像度等）が含まれている。ユーザは、デジタル放送受信装置を操作して所望の情報を取得することができる。
【０００４】
そして、現在では、例えば特開２０００−２９５５５４号公報等に示されるように、ユーザが録画したい番組を特徴づける諸条件を予約情報として設定することにより、その予約情報と受信された番組情報とを照合し、録画候補となる番組を自動的に検索して録画する番組録画装置も開発されている。
【０００５】
【発明が解決しようとする課題】
しかしながら、この公開公報に示される番組録画装置では、新規に自動録画された番組があっも、それをユーザが気付かぬまま見逃す恐れが生じる。また、自動録画された多数の番組を全て見なければ、ユーザが必要な番組であるか否かを判断することができないという問題も有している。
【０００６】
そこで、この発明は上記事情を考慮してなされたもので、新規に自動録画された番組があることをユーザに通知することにより、自動録画された番組をユーザが気付かずに見逃すことを防止するようにした極めて良好な番組録画方法、番組録画装置を提供することを目的とする。
【０００７】
また、この発明は、自動録画された多数の番組の一覧表示や個々の番組内容の表示等を行なうことにより、自動録画された各番組をユーザが容易に管理することができるようにした極めて良好な番組録画方法、番組録画装置を提供することを目的とする。
【０００８】
【課題を解決するための手段】
この発明に係る番組録画方法は、予約情報を設定する設定ステップと；この設定ステップで設定された予約情報と、入力される番組情報に付加された属性情報とを照合して、録画候補となる番組を自動的に検索して録画する予約録画ステップと；この予約録画ステップによって番組が録画されたことを通知するステップであって、予約録画ステップによって録画された番組を、属性情報または予約情報に含まれる項目の内容別に通知形態を異ならせて通知する通知ステップと；この通知ステップによる通知形態に対応した操作を行なうことにより、予約録画ステップによって録画された番組を、属性情報または予約情報に含まれる項目の内容別に表示させる番組表示ステップと；番組表示ステップによって一覧表示された番組の中から所望の番組を選択する選択ステップと；この選択ステップで選択された番組に対して、所定の処理を施すための選択肢を表示する選択肢表示ステップとを有するようにしたものである。
【０００９】
また、この発明に係る番組録画装置は、予約情報を設定する設定手段と；この設定手段で設定された予約情報と、入力される番組情報に付加された属性情報とを照合して、録画候補となる番組を自動的に検索して録画する予約録画手段と；この予約録画手段によって番組が録画されたことを通知する手段であって、予約録画手段によって録画された番組を、属性情報または予約情報に含まれる項目の内容別に通知形態を異ならせて通知する通知手段と；この通知手段による通知形態に対応した操作を行なうことにより、予約録画手段によって録画された番組を、属性情報または予約情報に含まれる項目の内容別に表示させる番組表示手段と；この番組表示手段によって一覧表示された番組の中から所望の番組を選択する選択手段と；この選択手段で選択された番組に対して、所定の処理を施すための選択肢を表示する選択肢表示手段とを備えるようにしたものである。
【００１１】
上記のような構成及び方法によれば、新規に自動録画された番組があることをユーザに通知するようにしたので、自動録画された番組をユーザが気付かずに見逃すことを防止することができる。
【００１２】
【発明の実施の形態】
以下、この発明の第１の実施の形態について図面を参照して詳細に説明する。図１において、符号１１はデジタル放送波を受信するアンテナ、１２はデジタル放送波から番組映像データ及び属性情報を抽出する受信部、１３は抽出した属性情報を蓄積する属性情報蓄積部、１４はユーザからの操作情報や予約情報の入力を行なう入力部、１５はユーザが設定した予約情報を管理する予約管理部、１６は予約管理部１５より渡された予約情報を受け取り自動予約テーブルとして蓄積する予約情報蓄積部、１７は予約録画を実行するために必要な時間やチャンネル等の情報が記録された番組予約テーブルを蓄積する番組予約テーブル蓄積部、１８は番組映像データを記録媒体１９に記録する記録部、１９はハードディスク等の記録媒体、２０は記録媒体１９に記録された番組映像データ及び番組の属性情報を表示部２１に表示させる表示制御部、２１は番組映像データ及び番組の属性情報を表示する表示部、２２は新規に自動録画した番組があることをユーザに通知する通知部である。
【００１３】
受信部１２は、番組映像データ及び属性情報を受信し、番組映像データを記録部１８に出力し、属性情報を属性情報蓄積部１３に出力する。属性情報蓄積部１３は、受信部１２から入力した属性情報を蓄積する。
【００１４】
図２は、属性情報の一例を示している。属性情報は、少なくとも、番組ＩＤ（Identify）、番組名、ジャンル、番組内容、チャンネル番号、放送日、放送時間、曜日、出演者等の情報を含んでいる。番組ＩＤは、個々の番組にユニークな識別情報である。
【００１５】
ユーザは、入力部１４から自分が録画したい番組を特徴付ける予約情報を入力する。入力した予約情報は、予約管理部１５から予約情報蓄積部１６に渡され、自動予約テーブルとして蓄積される。
【００１６】
図３は、自動予約テーブルの一例を示している。自動予約テーブルは、自動予約ＩＤ、設定名、ジャンル、出演者、キーワード、チャンネル、放送時間、曜日、予約情報の重要度等から構成され、自動予約ＩＤ以外はユーザが設定する。設定名は、ユーザが自分でわかりやすいように各予約情報毎に自由につける名称である。
【００１７】
予約管理部１５は、属性情報蓄積部１３の属性情報と予約情報蓄積部１６の自動予約テーブルの情報とから、自動録画予約を行なう番組を決定する。
【００１８】
図４は、予約管理部１５の動作をまとめたフローチャートを示している。予約管理部１５は、属性情報と自動予約テーブルの情報とを比較し（Ｓ４ａ）、合致する番組があるかどうかを判定し（Ｓ４ｂ）、合致した番組がある場合、属性情報のうち、録画予約に必要な時間やチャンネル等の情報を番組予約テーブル蓄積部１７に蓄積する（Ｓ４ｃ）。合致した番組がない場合は処理を終了する。
【００１９】
図５は、番組予約テーブルの一例を示している。番組予約テーブルは、番組ＩＤ、録画日、曜日、開始時刻、終了時刻、チャンネル、予約方法、自動予約ＩＤ、重要度、記録済みフラグ、処理済みフラグ、処理日等から構成される。予約方法は、自動予約かユーザの指定による予約かを示すものである。
【００２０】
予約管理部１５は、番組予約テーブルの情報に基づいて受信部１２と記録部１８とを制御する。記録部１８は、受信した番組映像データを記録媒体１９に記録する（Ｓ４ｄ）。
【００２１】
予約管理部１５は、自動予約された番組映像データが記録媒体１９に記録されると、番組予約テーブル蓄積部１７の該当する予約ＩＤの予約テーブルに記録済みフラグを追加する（Ｓ４ｅ）。また、通知部２２を制御し、ユーザに新規に自動録画された番組があることを通知する（Ｓ４ｆ）。
【００２２】
ここで、通知部２２は、例えば、図６に示すように、表示部２１の前面パネルに設置されたＬＥＤ（Light Emitting Diode）２３であるとする。新規に自動録画された番組がある場合、予約管理部１５は、前面パネルのＬＥＤ２３を点灯もしくは点滅させることで、ユーザに通知する。このため、ユーザは、新規に自動録画された番組があることを知り、録画された番組を見逃すことを防止できる。
【００２３】
次に、この発明の第２の実施の形態について説明する。上記のような自動録画で録画された番組は、あくまでユーザが録画しておきたい可能性のある番組に過ぎず、実際に録画したい番組とは必ずしも一致しない。このため、新規録画番組がある場合、ユーザはそれらの番組に対して取捨選択を行なう必要がある。
【００２４】
図７は、新規に自動録画した番組の通知から番組選択処理までの動作をまとめたフローチャートを示している。通知部２２により、ユーザに新規に自動録画された番組があることが知らされた場合（Ｓ７ａ）、ユーザは、新規自動録画番組の一覧または各録画番組の内容を表示するように、入力部１４から入力する（Ｓ７ｂ）。
【００２５】
予約管理部１５は、入力部１４からの指示に基づき、番組予約テーブル蓄積部１７から記録済みフラグの立った番組予約テーブルを検索し（Ｓ７ｃ）、そこに含まれる番組ＩＤと同じ番組ＩＤをもつ番組の属性情報を属性情報蓄積部１３から読み出す（Ｓ７ｄ）。
【００２６】
一覧表示の場合は、例えば、図６に示すように、属性情報のうちの、番組名、ジャンル、放送日、放送時間、出演者等を一覧表示するように表示制御部２０を制御し、表示部２１に表示させる（Ｓ７ｅ）。
【００２７】
この一覧のうち、例えばカーソルで指示された（図６では斜線で示す）番組について、その処理をユーザに選択させる。例えば、図６に示すように、「視聴（今すぐ見る場合）」、「保存（今は見ないが後で見るような場合）」、「消去（今すぐ消去する場合）」、「詳細（一覧表示では判断できない場合、番組の簡単な内容を表示する）」等の選択肢を表示し、ユーザに処理の選択を求める（Ｓ７ｆ）。
【００２８】
各番組の内容表示を行なう場合も、例えば図８に示すように、同様に選択肢の表示が行なわれる。ユーザは、選択肢から処理の選択を行ない、入力部１４から入力する（Ｓ７ｇ）。
【００２９】
予約管理部１５は、選択された処理を実行するように、各部を制御する（Ｓ７ｈ）。例えば「視聴」を選択した場合、予約管理部１５は、表示制御部２０に対して、記録媒体１９から該当する番組ＩＤの番組を読み出し、表示するように制御する。選択した処理を実行すると、予約管理部１５は、処理済みフラグを番組予約テーブルに追加する（Ｓ７ｉ）。
【００３０】
このように、新規に自動録画番組がある場合、その番組の一覧または各番組の内容を表示し、ユーザに各番組の処理を選択させることで、ユーザに取捨選択させ、本当に録画したかった番組のみ視聴できるようにする。
【００３１】
次に、この発明の第３の実施の形態について説明する。すなわち、新規録画番組の表示方法としては、次のような表示方法も考えられる。図６では、予約情報順に一覧の表示を行なっているが、これをジャンル別に表示することで、ユーザが番組の選択をし易いようにする。
【００３２】
図９は、録画番組をジャンル別に表示する動作をまとめたフローチャートを示している。通知部２２により、ユーザに新規に自動録画された番組があることが知らされ（Ｓ９ａ）、入力部１４から新規自動録画番組の一覧または各番組の内容の表示を指示すると（Ｓ９ｂ）、予約管理部１５は、入力部１４からの入力に基づき、番組予約テーブル蓄積部１７から記録済みフラグの立った番組予約テーブルを検索し（Ｓ９ｃ）、そこに含まれる番組ＩＤと同じ番組ＩＤを持つ番組の属性情報を属性情報蓄積部１３から読み出す（Ｓ９ｄ）。
【００３３】
その際、属性情報のジャンルを参照し（Ｓ９ｅ）、図１０に示すように、ジャンル別に一覧表示を行なうように表示制御部２０を制御し、表示部２１に表示させる（Ｓ９ｆ）。以後、Ｓ９ｇ〜Ｓ９ｊは、図７に示したＳ７ｆ〜Ｓ７ｉと同様である。このように、ジャンル別に表示を行なうことで、ユーザの番組選択を容易にする。
【００３４】
次に、この発明の第４の実施の形態について説明する。上記した第３の実施の形態では、新規録画番組を属性情報のジャンル別に表示するようにしたが、予約情報の重要度順に表示を行なう方法もある。この方法では、ユーザが重要と考える番組から表示を行なうため、ユーザの番組選択を容易にすることができる。
【００３５】
図１１は、録画番組を重要度順に表示する動作をまとめたフローチャートを示している。通知部２２により、ユーザに新規に自動録画された番組があることが知らされ（Ｓ１１ａ）、入力部１４から新規自動録画番組の一覧または各番組の内容の表示を指示すると（Ｓ１１ｂ）、予約管理部１５は、入力部１４からの入力に基づき、番組予約テーブル蓄積部１７から記録済みフラグの立った番組予約テーブルを検索し（Ｓ１１ｃ）、さらに番組予約テーブルから予約情報の重要度も検出する（Ｓ１１ｄ）。
【００３６】
そして、番組予約テーブルに含まれる番組ＩＤと同じ番組ＩＤをもつ番組の属性情報を属性情報蓄積部１３から読み出し（Ｓ１１ｅ）、図１２に示すように、重要度順に一覧表示を行なうように表示制御部２０を制御し、表示部２１に表示させる（Ｓ１１ｆ）。以後、Ｓ１１ｇ〜Ｓ１１ｊは、図７に示したＳ７ｆ〜Ｓ７ｉと同様である。このように、重要度順に表示を行なうことで、ユーザの番組選択を容易にする。
【００３７】
次に、この発明の第５の実施の形態について説明する。上記した新規録画番組の表示方法では、属性情報のジャンル別に表示することでユーザが番組の選択をし易いようにするという例を述べたが、新規録画番組の通知の時点で、ジャンル別に通知を行なうという方法もある。
【００３８】
例えば、図１３（ａ），（ｂ），（ｃ）に示すように、新規に記録された番組の属性情報のジャンルによって、ドラマは赤の点灯、スポーツは緑の点灯、ニュースは赤の点滅のように、ＬＥＤ２３の表示色及び点灯、点滅を変えることで記録された番組が何のジャンルであるかが一目でわかる。
【００３９】
図１４は、録画番組をジャンル別に通知する動作をまとめたフローチャートを示している。図１４において、Ｓ１４ａ〜Ｓ１４ｅは、図４に示したＳ４ａ〜Ｓ４ｅと同様である。
【００４０】
予約管理部１５は、自動予約された番組映像データが記録媒体１９に記録されると、番組予約テーブル蓄積部１７の該当する予約ＩＤの番組予約テーブルに含まれる番組ＩＤと同じ番組ＩＤをもつ番組の属性情報を属性情報蓄積部１３から読み出し（Ｓ１４ｆ）、属性情報のジャンルを参照し（Ｓ１４ｇ）、ジャンルによって異なる通知を行なうように通知部２２を制御する（Ｓ１４ｈ）。
【００４１】
このようにジャンル別に通知を行なうことで、どのジャンルの番組が録画されたかが一目で分かり、ユーザの番組選択を容易とすることができる。
【００４２】
また、図１５に示すように、ＬＥＤ２３の発光色に対応したリモートコントローラ２４のキーを選択的に操作することで、そのジャンルに関する選択肢の表示が行なわれ、ユーザに選択の処理を求める。
【００４３】
例えば、ＬＥＤ２３が赤色に点灯しているときは、リモートコントローラ２４の赤色のキーを１回操作すると、図１６に示すように、新規に記録されたドラマの一覧と処理の選択肢とを表示し、ユーザに選択を求める。また、ＬＥＤ２３が赤色に点滅しているときは、リモートコントローラ２４の赤色のキーを２回操作すると、新規に記録されたニュースの一覧が表示される。
【００４４】
このように、ＬＥＤ２３の表示色及び点灯、点滅を変えることで、ユーザに、記録された番組のジャンルを通知し、それに対応したリモートコントローラ２４のキーを操作することで、そのジャンルの一覧や詳細内容を表示し、ユーザの番組選択を容易にする。
【００４５】
次に、この発明の第６の実施の形態について説明する。上記した第５の実施の形態は、新規録画番組の通知の時点で、属性情報のジャンル別に通知を行なうというものであるが、予約情報の重要度別に通知を行なう方法もある。
【００４６】
例えば、図１７（ａ），（ｂ），（ｃ）に示すように、新規に録画された番組の予約情報に含まれる重要度が高い順に、赤の点灯、緑の点灯、赤の点滅のようにＬＥＤ２３の表示色及び点灯、点滅を変えることで、記録された番組の重要度が一目で分かり、ユーザが番組選択を行ない易くなる。
【００４７】
図１８は、録画番組を重要度別に通知する動作をまとめたフローチャートを示している。図１８において、Ｓ１８ａ〜Ｓ１８ｅは、図４に示したＳ４ａ〜Ｓ４ｅと同様である。
【００４８】
予約管理部１５は、自動予約された番組映像データが記録媒体１９に記録されると、番組予約テーブル蓄積部１７の該当する予約ＩＤの番組予約テーブルから予約情報の重要度を検出し（Ｓ１８ｆ）、重要度別に異なる通知を行なうように通知部２２を制御する（Ｓ１８ｇ）。
【００４９】
このように重要度別に通知を行なうことで、どの重要度の番組が録画されたかが一目で分かり、ユーザの番組選択を容易とすることができる。
【００５０】
また、図１５に示したように、ＬＥＤ２３の発光色に対応したリモートコントローラ２４のキーを選択的に操作することで、その重要度の番組に関する選択肢の表示が行なわれ、ユーザに選択の処理を求める。
【００５１】
例えば、ＬＥＤ２３が緑色に点灯しているときは、リモートコントローラ２４の緑色のキーを１回操作すると、図１９に示すように、新規に記録された重要度２（２番目に重要度が高い）の番組一覧と処理の選択肢とを表示し、ユーザに選択を求める。また、ＬＥＤ２３が赤色に点滅しているときは、リモートコントローラ２４の赤色のキーを２回操作すると、新規に記録された重要度３の番組一覧と選択肢とが表示される。
【００５２】
このように、ＬＥＤ２３の表示色及び点灯、点滅を変えることで、ユーザに、記録された番組の重要度を通知し、それに対応したリモートコントローラ２４のキーを操作することで、その重要度の番組の一覧や詳細内容を表示し、ユーザの番組選択を容易にする。
【００５３】
次に、この発明の第７の実施の形態について説明する。すなわち、予約情報の重要度により、通知頻度を変える方法もある。予約情報の重要度の高い番組は、ユーザが欲しい番組である可能性が高く、重要度の低い番組は、ユーザが欲しくない番組も多数含まれている可能性があるため、重要度の高い番組は通知頻度を高くし、重要度の低い番組は通知頻度を低くすることで、ユーザが番組の処理選択する機会を減らし、ユーザの負担を減らす。
【００５４】
図２０は、予約情報の重要度により通知頻度を変える動作をまとめたフローチャートを示している。図２０において、Ｓ２０ａ〜Ｓ２０ｆは、図１８に示したＳ１８ａ〜Ｓ１８ｆと同様である。
【００５５】
すなわち、予約管理部１５は、自動予約された番組映像データが記録媒体１９に記録されると、番組予約テーブル蓄積部１７の該当する予約ＩＤの番組予約テーブルから予約情報の重要度を検出する（Ｓ２０ｆ）。
【００５６】
予約管理部１５は、検出した重要度と同じ重要度で記録済みフラグの立っている番組数を、番組予約テーブル蓄積部１７からカウントする（Ｓ２０ｇ）。予約管理部１５は、重要度別の設定値と録画済み番組数とを比較し（Ｓ２０ｈ）、設定値以上の場合は検出した重要度により異なる通知を行なう（Ｓ２０ｉ）。設定値未満の場合は、処理を終了する。
【００５７】
重要度別の設定値は、例えば番組の重要度が高い場合（重要度１）は、番組が１つ記録された時点で通知を行なうよう設定値を１とし、番組が１つ録画された時点で通知部２２を制御し、図２１（ａ）に示すように、ＬＥＤ２３の赤色の点灯でユーザに通知する。
【００５８】
記録された番組の重要度が低い場合（重要度２）は、例えば設定値を３とし、３つ以上の番組が録画された時点で通知を行なうように通知部２２を制御し、図２１（ｂ）に示すように、ＬＥＤ２３の緑の点灯でユーザに通知する。これらの設定値は、入力部１４からユーザが指定しても良いし、デフォルトで指定されていても良い。
【００５９】
また、図１５に示すような、リモートコントローラ２４のＬＥＤ２３の発光色に対応したキーを操作することで、その重要度の番組に関する選択肢の表示が行なわれ、ユーザに処理の選択を求める。
【００６０】
例えば、ＬＥＤ２３が赤色に点灯しているときは、リモートコントローラ２４の赤色のキーを１回操作すると、図２１（ａ）に示すように、新規に記録された重要度１の番組と処理の選択肢とを表示し、ユーザに選択を求める。また、ＬＥＤ２３が緑色に点灯しているときは、リモートコントローラ２４の緑色のキーを１回操作すると、図２１（ｂ）に示すように、新規に記録された重要度２の番組一覧と選択肢とが表示される。
【００６１】
このように、記録した番組の重要度により、ユーザへの通知頻度を変えることで、ユーザが欲しくない番組が含まれている可能性の高い重要度の低い番組は、ユーザに処理選択を促す機会を少なくし、ユーザの負担を減らす。
【００６２】
次に、この発明の第８の実施の形態について説明する。すなわち、重要度に無関係に、新規に録画した番組がある設定値を越えた場合にユーザに通知することにより、ユーザが処理選択する機会を減らし、さらにユーザの負担を軽減することもできる。
【００６３】
図２２は、重要度に無関係に新規録画番組がある設定値を越えた場合にユーザに通知する動作をまとめたフローチャートを示している。図２２において、Ｓ２２ａ〜Ｓ２２ｅは、図４に示したＳ４ａ〜Ｓ４ｅと同様である。
【００６４】
予約管理部１５は、自動予約された番組映像データが記録媒体１９に記録されると、番組予約テーブル蓄積部１７の該当する予約ＩＤの番組予約テーブルに記録済みフラグを追加する（Ｓ２２ｅ）。
【００６５】
さらに、番組予約テーブルから記録済みフラグの立っている番組の数を検出し（Ｓ２２ｆ）、ある設定値と比較する（Ｓ２２ｇ）。例えば設定値５以上の場合に通知を行なうように通知部２２を制御すると（Ｓ２２ｈ）、図２３（ａ）に示すように、ＬＥＤ２３の赤色の点灯でユーザに通知される。設定値未満の場合は、処理を終了する。
【００６６】
設定値は、入力部１４からユーザが設定しても良いし、デフォルトで設定されていても良い。こうすることで、新規に番組が記録される毎に、ユーザが処理選択を促されることがなくなり、ユーザの負担が軽減される。
【００６７】
次に、この発明の第９の実施の形態について説明する。すなわち、録画番組数が設定値以上となり通知を行なった際に、番組の処理選択をキャンセルした場合、次回は、録画番組数が第２の設定値以上となった場合に表示方法を変えて表示することで、現在の録画番組数が把握でき、ユーザが番組の処理設定を行なう際の目安となる。
【００６８】
図２４は、複数の設定値を用いた場合の動作をまとめたフローチャートを示している。図２４において、Ｓ２４ａ〜Ｓ２４ｆは、図２２に示したＳ２２ａ〜Ｓ２２ｆと同様である。
【００６９】
予約管理部１５は、録画番組数と第ｎの設定値とを比較する（Ｓ２４ｇ）。ここでは、ｎは初期値を１とし、第ｎの設定値は例えばｎ＝１〜ｍまで個別に値を設定しておいても良いし（例えばｎ＝１で第１の設定値＝５、ｎ＝２で第２の設定値＝７等）、設定値＝初期値×ｎ（例えば初期値５で、ｎ＝１で第１の設定値＝５、ｎ＝２で第２の設定値＝１０等）のように計算で自動的に設定しても良い。
【００７０】
録画番組数が第ｎの設定値以上の場合、設定値毎に異なる通知を行なう（Ｓ２４ｈ）。例えば、第１の設定値以上の場合は、図２３（ａ）に示したようにＬＥＤ２３の赤色の点灯で表示し、第２の設定値以上の場合は、図２３（ｂ）に示すようにＬＥＤ２３の赤色の点滅で表示する等、録画番組数に応じて通知方法を変えるよう、通知部２２を制御する。
【００７１】
ここで、例えば第１の設定値以上の録画番組があることを通知された場合、ユーザは、番組の処理選択を行なうかどうかを選択する（Ｓ２４ｉ）。処理選択を行なう場合は、リモートコントローラ２４の赤色のキーを１回操作すると、図２３（ａ）に示すように、録画番組の一覧が表示され、番組処理の選択肢が表示される（Ｓ２４ｊ）。処理が選択され実行されると、ｎ＝１が代入される。
【００７２】
処理選択を行なわない場合は、例えばキャンセルキーを操作すると、ｎ＝ｎ＋１の演算を行なう（Ｓ２４ｋ）。この例の場合ではｎ＝２となり、次回からは、録画番組数と第２の設定値との比較が行なわれる。
【００７３】
そして、録画番組数が第２の設定値以上になると、図２３（ｂ）に示したようにＬＥＤ２３の赤色の点滅で通知され、リモートコントローラ２４の赤色のキーを２回操作すると、録画番組の一覧と番組処理の選択肢とが表示される。キャンセルキーが操作されると、今度はｎ＝３となる。
【００７４】
このように複数の設定値を設けることで、ユーザは、録画番組数を把握でき、番組の処理選択を行なう目安とできるため、さらにユーザの処理選択の負担が軽減される。
【００７５】
次に、この発明の第１０の実施の形態について説明する。すなわち、新規に録画した番組数ではなく、前回に新記録画番組の処理選択を行なってから、ある一定期間後に新規録画番組がある場合に、ユーザに通知することにより、ユーザに処理選択を促す機会を減らし、ユーザの負担を軽減することもできる。
【００７６】
図２５は、前回に新規録画番組の処理選択を行なってから一定期間後に新規録画番組がある場合にユーザに通知する動作をまとめたフローチャートを示している。
【００７７】
予約管理部１５は、番組予約テーブル蓄積部１７から前回番組処理を行なった日時を検出する（Ｓ２５ａ）。検出した日時と設定期間（例えば１週間）と現在の日時とを比較し（Ｓ２５ｂ）、前回番組処理時からある設定期間経過しているかどうかを判定する（Ｓ２５ｃ）。
【００７８】
設定期間以上経過している場合は、番組予約テーブル蓄積部１７からまだ処理の行なわれていない記録済みフラグの立っている番組があるかどうかを検出する（Ｓ２５ｄ）。未処理の録画番組がある場合、通知を行なうよう通知部２２を制御し（Ｓ２５ｅ）、図２６（ａ）または（ｂ）に示すように、ＬＥＤ２３の赤または緑色の点灯でユーザに通知する。
【００７９】
期間の設定は、入力部１４からユーザが設定しても良いし、デフォルトで設定されていても良い。ユーザは、未処理の録画された番組がある場合、図２６（ａ）または（ｂ）に示すように、新規録画番組の一覧表示、内容表示を行ない（Ｓ２５ｆ）、表示された選択肢から処理を選択し実行する（Ｓ２５ｇ）。
【００８０】
選択した処理を実行すると、現在日時を参照して、番組予約テーブル蓄積部１７に処理を実行した日時を記憶する（Ｓ２５ｈ）。このように、一定期間毎に、録画番組があるかどうかを通知することで、ユーザが選択処理を行なう機会が削減され、ユーザの負担を軽減することができる。
【００８１】
次に、この発明の第１１の実施の形態について説明する。すなわち、設定期間経過後に、前述したように録画されている番組数により通知方法を変え、記録された番組がまだ少ない場合にはユーザは処理選択をせず、例えばリモートコントローラ２４のキャンセルキーを操作することで、そのまま放置するという選択もできる。
【００８２】
図２７は、記録された番組がまだ少ない場合にユーザが処理選択をせずそのまま放置する動作をまとめたフローチャートを示している。図２７において、Ｓ２７ａ〜Ｓ２７ｃは、図２５に示したＳ２５ａ〜Ｓ２５ｃと同様である。
【００８３】
前回の処理選択から設定期間以上経過している場合、予約管理部１５は、番組予約テーブル蓄積部１７から録画番組の数を検出し（Ｓ２７ｄ）、録画番組数が第ｎの設定値以上であるかどうかを判定する（Ｓ２７ｅ）。
【００８４】
そして、第ｎの設定値と、ユーザが番組処理選択をキャンセルした回数ｍ（初期値ｍ＝０）とにより、異なる通知を行なうように通知部２２を制御する（Ｓ２７ｆ）。
【００８５】
例えば、ｍ＝０、ｎ＝１の初期値のときに、ある設定期間以上経過した場合、録画番組数が第１の設定値未満であれば、図２８（ａ）または（ｃ）に示すように、ＬＥＤ２３の赤または緑色の点灯で通知し、録画番組数が第１の設定値以上であれば、図２８（ｂ）または（ｄ）に示すように、ＬＥＤ２３の赤または緑色の点滅で通知する。
【００８６】
設定期間以上経過したことを通知された場合、ユーザは、番組の処理選択を行なうかどうかを選択する（Ｓ２７ｇ）。処理選択を行なう場合、ＬＥＤ２３の赤または緑色の点灯で通知された場合はリモートコントローラ２４の赤または緑色のキーを１回操作し、ＬＥＤ２３の赤または緑色の点滅で通知された場合はリモートコントローラ２４の赤または緑色のキーを２回操作することで、図２８（ａ）〜（ｄ）に示すように、録画番組の一覧と番組処理の選択肢とが表示され、処理の選択、実行が行なわれる（Ｓ２７ｈ）。この際、ｎ＝１、ｍ＝０が代入される。番組の処理が実行されると、番組予約テーブル蓄積部１７に処理が実行された日時が記憶される（Ｓ２７ｉ）。
【００８７】
処理選択を行なわない場合は、例えばリモートコントローラ２４のキャンセルキーを操作する。すると、ＬＥＤ２３の赤色の点灯の場合は、ｍ＝ｍ＋１の演算を行ない、ＬＥＤ２３の赤色の点滅の場合は、ｍ＝ｍ＋１とｎ＝ｎ＋1の演算を行なう（Ｓ２７ｊ）。
【００８８】
この例の場合では、ＬＥＤ２３の赤色の点灯時にキャンセルすると、ｍ＝１、ｎ＝１となり、次回設定期間経過後、録画番組数が第１の設定値未満であれば、ＬＥＤ２３の緑色の点灯で通知し、録画番組数が第１の設定値以上であれば、ＬＥＤ２３の緑色の点滅で通知する。
【００８９】
ＬＥＤ２３の赤色の点滅時にキャンセルすると、ｍ＝１、ｎ＝２となり、次回設定期間経過後、録画番組数が第２の設定値未満であれば、ＬＥＤ２３の緑色の点滅で通知し、録画番組数が第２の設定値以上であれば、ＬＥＤ２３の緑色の点滅速度を変えることで通知する。
【００９０】
このように通知方法を変えることにより、どのくらい録画番組数があり、どのくらいの期間番組の処理選択を行なっていないかが一目でわかり、ユーザが番組処理選択を行なう目安となる。
【００９１】
次に、この発明の第１２の実施の形態について説明する。すなわち、設定期間経過後に、前述したように、録画されている番組の重要度により通知方法を変え、記録された番組の重要度が低い場合はユーザは処理選択をせず、例えばリモートコントローラ２４のキャンセルキーを操作することで、そのまま放置するという選択もできる。
【００９２】
図２９は、記録された番組の重要度が低い場合にリモートコントローラ２４のキャンセルキーを操作してそのまま放置する動作をまとめたフローチャートを示している。図２９において、Ｓ２９ａ〜Ｓ２９ｃは、図２５に示したＳ２５ａ〜Ｓ２５ｃと同様である。
【００９３】
前回の処理選択から設定期間以上経過している場合、予約管理部１５は、番組予約テーブル蓄積部１７から録画番組の重要度を検出し（Ｓ２９ｄ）、重要度とユーザが番組処理選択をキャンセルした回数ｍ（初期値ｍ＝０）とにより、異なる通知を行なうように通知部２２を制御する（Ｓ２９ｅ）。
【００９４】
例えば、ｍ＝０で、設定期間経過後に重要度１の録画番組がある場合、図３０（ａ）に示すように、ＬＥＤ２３の赤色の点灯で通知し、重要度１の録画番組がなく、重要度２の録画番組がある場合は、図３０（ｂ）に示すように、ＬＥＤ２３の赤色の点滅で通知する。
【００９５】
設定期間以上経過したことを通知された場合、ユーザは、番組の処理選択を行なうかどうかを選択する（Ｓ２９ｆ）。処理選択を行なう場合、ＬＥＤ２３の赤または緑色の点灯で通知された場合は、リモートコントローラ２４の赤または緑色のキーを１回操作し、ＬＥＤ２３の赤または緑色の点滅で通知された場合は、リモートコントローラ２４の赤または緑色のキーを２回操作することで、図３０（ａ）〜（ｄ）に示すように、録画番組の一覧と番組処理の選択肢とが表示され、処理の選択、実行が行なわれる（Ｓ２９ｇ）。この際、ｍ＝０が代入される。番組の処理が実行されると、番組予約テーブル蓄積部１７に処理が実行された日時が記憶される（Ｓ２９ｈ）。
【００９６】
処理選択を行なわない場合は、例えばリモートコントローラ２４のキャンセルキーを操作する。すると、ｍ＝ｍ＋１の演算が行なわれ（Ｓ２９ｉ）、このときの日時が番組予約テーブルに記憶される。
【００９７】
この例の場合では、ＬＥＤ２３の赤色の点灯時にキャンセルすると、ｍ＝１となり、次回設定期間経過後、重要度１の録画番組があればＬＥＤ２３の緑色の点灯で通知し、重要度１の録画番組がなく、重要度２の録画番組がある場合はＬＥＤ２３の緑色の点滅で通知する。
【００９８】
このように、通知方法を変えることにより、どの重要度の録画番組があり、どのくらいの期間番組の処理選択を行なっていないかが一目でわかり、ユーザが番組選択処理を行なう目安となる。
【００９９】
次に、この発明の第１３の実施の形態について説明する。すなわち、ある設定期間経過後ではなく、特定の日時や曜日のときに新規録画番組があった場合、ユーザに通知することにより、ユーザに処理選択する機会を減らし、ユーザの負担を軽減することもできる。
【０１００】
図３１は、特定の日時や曜日に新規録画番組があった場合にユーザに通知する動作をまとめたフローチャートを示している。予約管理部１５は、現在日時と設定された特定の日時または曜日とを比較し（Ｓ３１ａ）、一致するかしないかの判定を行なう（Ｓ３１ｂ）。
【０１０１】
設定した日時または曜日と一致した場合、番組予約テーブル蓄積部１７の番組予約テーブルから未処理の記録済みフラグが立っている番組を検出する（Ｓ３１ｃ）。録画番組がある場合、通知を行なうよう通知部２２を制御し、図２６（ａ）に示すように、ＬＥＤ２３の赤色の点灯でユーザに通知する（Ｓ３１ｄ）。
【０１０２】
日時、曜日の設定は、入力部１４からユーザが設定しても良いし、デフォルトで設定されていても良い。
【０１０３】
ユーザは、新規に録画された番組がある場合、図２６（ａ）に示すように、新記録画番組の一覧表示、内容表示を指示し（Ｓ３１ｅ）、表示された番組に対する選択肢から処理を選択し実行する（Ｓ３１ｆ）。
【０１０４】
このように、特定の日時や曜日に新規録画番組があるかどうかを通知することで、ユーザが処理選択を行なう機会が減り、ユーザの負担を軽減することができる。
【０１０５】
次に、この発明の第１４の実施の形態について説明する。すなわち、特定の日時や曜日に、前記のように録画されている番組数により通知方法を変え、記録された番組がまだ少ない場合にはユーザは処理選択をせず、例えばリモートコントローラ２４のキャンセルキーを操作することで、そのまま放置するという選択もできる。
【０１０６】
図３２は、特定の日時や曜日に録画番組を通知する際に、録画番組数により通知方法を変える動作をまとめたフローチャートを示している。図３２において、Ｓ３２ａ及びＳ３２ｂは、図３１に示したＳ３１ａ及びＳ３１ｂと同様であり、Ｓ３２ｃ〜Ｓ３２ｈは、図２７に示したＳ２７ｄ〜Ｓ２７ｈ，Ｓ２７ｊと同様である。また、通知方法や表示方法は、図２８（ａ）〜（ｄ）に示した例と同様である。
【０１０７】
このように通知方法を変えることにより、どのくらい録画番組数があり、どのくらいの期間番組の処理選択を行なっていないかが一目でわかり、ユーザが番組処理選択を行なう目安となる。
【０１０８】
次に、この発明の第１５の実施の形態について説明する。すなわち、特定の日時や曜日に、前記のように録画されている番組の重要度により通知方法を変え、記録された番組の重要度が低い場合は、ユーザは処理選択をせず、例えばリモートコントローラ２４のキャンセルキーを操作することで、そのまま放置するという選択もできる。
【０１０９】
図３３は、特定の日時や曜日に録画番組を通知する際に、録画されている番組の重要度により通知方法を変える動作をまとめたフローチャートを示している。図３３において、Ｓ３３ａ及びＳ３３ｂは、図３１に示したＳ３１ａ及びＳ３１ｂと同様であり、Ｓ３３ｃ〜Ｓ３３ｇは、図２９に示したＳ２９ｄ〜Ｓ２９ｇ，Ｓ２９ｉと同様である。また、通知方法や表示方法は、図３０（ａ）〜（ｄ）に示した例と同様である。
【０１１０】
このように通知方法を変えることにより、どの重要度の録画番組数があり、どのくらいの期間番組の処理選択を行なっていないかが一目でわかり、ユーザが番組処理選択を行なう目安となる。
【０１１１】
上記した各実施の形態は、属性情報のジャンルや予約情報の重要度によって、通知方法や表示方法を変化させるものであるが、属性情報や予約情報に含まれる他の項目により通知方法や表示方法を変えることも可能である。
【０１１２】
また、上記した各実施の形態における通知手段は、１個のＬＥＤ２３による表示を例としたが、複数のＬＥＤ表示とするものでも良く、ＯＳＤ（On Screen Display）表示や音声等で通知を行なうようにしても良い。
【０１１３】
さらに、上記した各実施の形態では、図1に示したように、表示部２１を備えたデジタル放送受信装置を例にしたが、例えば表示部２１を別体とするセットトップボックスのようなものにも、この発明を適用することができる。
【０１１４】
なお、この発明は上記した各実施の形態に限定されるものではなく、この外その要旨を逸脱しない範囲で種々変形して実施することができる。
【０１１５】
【発明の効果】
以上詳述したようにこの発明によれば、新規に自動録画された番組があることをユーザに通知するようにしたので、自動録画された番組をユーザが気付かずに見逃すことを防止するようにした極めて良好な番組録画方法、番組録画装置を提供することができる。
【０１１６】
また、この発明によれば、自動録画された多数の番組の一覧表示や個々の番組内容の表示等を行なうようにしたので、自動録画された各番組をユーザが容易に管理することができるようにした極めて良好な番組録画方法、番組録画装置を提供することができる。
【図面の簡単な説明】
【図１】この発明の第１の実施の形態を説明するために示すブロック構成図。
【図２】同第１の実施の形態における属性情報の一例を説明するために示す図。
【図３】同第１の実施の形態における自動予約テーブルの一例を説明するために示す図。
【図４】同第１の実施の形態における予約管理部の動作を説明するために示すフローチャート。
【図５】同第１の実施の形態における番組予約テーブルの一例を説明するために示す図。
【図６】同第１の実施の形態における通知部の詳細を説明するために示す図。
【図７】この発明の第２の実施の形態を説明するために示すフローチャート。
【図８】同第２の実施の形態における番組内容の表示例を説明するために示す図。
【図９】この発明の第３の実施の形態を説明するために示すフローチャート。
【図１０】同第３の実施の形態における番組の一覧表示例を説明するために示す図。
【図１１】この発明の第４の実施の形態を説明するために示すフローチャート。
【図１２】同第４の実施の形態における番組の一覧表示例を説明するために示す図。
【図１３】この発明の第５の実施の形態を説明するために示す図。
【図１４】同第５の実施の形態における予約管理部の動作を説明するために示すフローチャート。
【図１５】同第５の実施の形態におけるリモートコントローラを説明するために示す図。
【図１６】同第５の実施の形態におけるの番組の一覧と処理の選択肢の表示例を説明するために示す図。
【図１７】この発明の第６の実施の形態を説明するために示す図。
【図１８】同第６の実施の形態における予約管理部の動作を説明するために示すフローチャート。
【図１９】同第６の実施の形態における番組の一覧と処理の選択肢の表示例を説明するために示す図。
【図２０】この発明の第７の実施の形態を説明するために示すフローチャート。
【図２１】同第７の実施の形態における番組の一覧と処理の選択肢の表示例を説明するために示す図。
【図２２】この発明の第８の実施の形態を説明するために示すフローチャート。
【図２３】同第８の実施の形態における番組の一覧と処理の選択肢の表示例を説明するために示す図。
【図２４】この発明の第９の実施の形態を説明するために示すフローチャート。
【図２５】この発明の第１０の実施の形態を説明するために示すフローチャート。
【図２６】同第１０の実施の形態における番組の一覧と処理の選択肢の表示例を説明するために示す図。
【図２７】この発明の第１１の実施の形態を説明するために示すフローチャート。
【図２８】同第１１の実施の形態における番組の一覧と処理の選択肢の表示例を説明するために示す図。
【図２９】この発明の第１２の実施の形態を説明するために示すフローチャート。
【図３０】同第１２の実施の形態における番組の一覧と処理の選択肢の表示例を説明するために示す図。
【図３１】この発明の第１３の実施の形態を説明するために示すフローチャート。
【図３２】この発明の第１４の実施の形態を説明するために示すフローチャート。
【図３３】この発明の第１５の実施の形態を説明するために示すフローチャート。
【符号の説明】
１１…アンテナ、
１２…受信部、
１３…属性情報蓄積部、
１４…入力部、
１５…予約管理部、
１６…予約情報蓄積部、
１７…番組予約テーブル蓄積部、
１８…記録部、
１９…記録媒体、
２０…表示制御部、
２１…表示部、
２２…通知部、
２３…ＬＥＤ、
２４…リモートコントローラ。
【図１】
0003776791.tif 000002
【図２】
0003776791.tif 000003
【図３】
0003776791.tif 000004
【図４】
0003776791.tif 000005
【図５】
0003776791.tif 000006
【図６】
0003776791.tif 000007
【図７】
0003776791.tif 000008
【図８】
0003776791.tif 000009
【図９】
0003776791.tif 000010
【図１０】
0003776791.tif 000011
【図１１】
0003776791.tif 000012
【図１２】
0003776791.tif 000013
【図１３】
0003776791.tif 000014
【図１４】
0003776791.tif 000015
【図１５】
0003776791.tif 000016
【図１６】
0003776791.tif 000017
【図１７】
0003776791.tif 000018
【図１８】
0003776791.tif 000019
【図１９】
0003776791.tif 000020
【図２０】
0003776791.tif 000021
【図２１】
0003776791.tif 000022
【図２２】
0003776791.tif 000023
【図２３】
0003776791.tif 000024
【図２４】
0003776791.tif 000025
【図２５】
0003776791.tif 000026
【図２６】
0003776791.tif 000027
【図２７】
0003776791.tif 000028
【図２８】
0003776791.tif 000029
【図２９】
0003776791.tif 000030
【図３０】
0003776791.tif 000031
【図３１】
0003776791.tif 000032
【図３２】
0003776791.tif 000033
【図３３】
0003776791.tif 000034